(57)【特許請求の範囲】
【請求項１】
少なくとも一つのフレーム骨格（１２）、少なくとも一つの光源（２６）および少なくとも一層の濾過カバー（２４）を含む保健および最適の照明装置であって、
前記光源（２６）は、前記フレーム骨格（１２）の空胴内に設置され、照明に使われる可視光線、室内空気の品質向上に使われる不可視の赤外線および紫外線を放射し、
前記濾過カバー（２４）は、空気浄化機能を有する物質により処理され、前記フレーム骨格（１２）を被覆し、前記処理された濾過カバー（２４）は、少なくとも一つの開口を有し、
前記赤外線により加熱された前記フレーム骨格（１２）内の空気が前記開口を通じて前記装置から流出し、前記装置の周辺環境の更なる低温の空気が前記処理された濾過カバー（２４）を通って前記フレーム骨格（１２）内に吸い込まれて既に前記装置から流出された前記加熱された空気を置換して、対流の方式により空気の循環を形成して空気を浄化し、
二つの前記フレーム骨格（１２）の間に設置され、機能追加や多機能を実現するように前記装置を互いに接続、拡張および柔軟にするベース板（２２）をさらに含むことを特徴とする保健および最適の照明装置。
【請求項２】
前記濾過カバー（２４）は、
抗菌剤が塗布された層、
酸化亜鉛、酸化銅、または水酸化カルシウムにより処理された層、
活性炭または沸石が塗布された層、
ドーピングされたナノ二酸化チタンが塗布された層、
または前記複数の層の任意の組合せを有し、
前記濾過カバー（２４）の表面において、空気汚染物を捕獲し、除去することを特徴とする請求項１に記載の保健および最適の照明装置。
【請求項３】
前記フレーム骨格（１２）の頂部に設置されるシャーシ（２０）をさらに含み、
前記光源（２６）は、前記シャーシ（２０）に設置されていることを特徴とする請求項１または２に記載の保健および最適の照明装置。
【請求項４】
前記シャーシ（２０）に設置され、前記装置の外側の室内空気の品質を向上するイオン発生器（４６）をさらに含むことを特徴とする請求項３に記載の保健および最適の照明装置。
【請求項５】
抗菌および芳香性のある精油を含み、前記レーム骨格（１２）の空胴内に設置され、前記装置の外側の室内空気を消毒して綺麗にする少なくとも一つの容器（４２）をさらに含むことを特徴とする請求項１〜４のいずれか一項に記載の保健および最適の照明装置。
【請求項６】
前記ベース板（２２）に設置され、空気の循環および空気の濾過を向上する少なくとも一つのファン（４４）をさらに含むことを特徴とする請求項１〜５のいずれか一項に記載の保健および最適の照明装置。
【請求項７】
前記ベース板（２２）に設置され、ユーザの健康に役立つように音楽、歌唱、ダンス、運動、沈思、閲読、ストレス緩和、リラックス、休息および睡眠に使われるソフトウェアがインストールできる音響システム（５２）をさらに含むことを特徴とする請求項１〜６のいずれか一項に記載の保健および最適の照明装置。
【請求項８】
前記フレーム骨格（１２）の頂部に設置される安全網（２８）をさらに含むことを特徴とする請求項１〜７のいずれか一項に記載の保健および最適の照明装置。
【請求項９】
互いに積み重ねて接続することで拡張性を有するとともにスペース、カーボンフットプリントおよびコストが減らせるように、前記フレーム骨格（１２）は、錐形または半対称の形状を有することを特徴とする請求項１〜８のいずれか一項に記載の保健および最適の照明装置。
【請求項１０】
紫外線光源（３０）、ベース板（２２）、ファン（４４）および二層以上に処理された濾過カバー（２４）を備える光触媒空気浄化器（ＰＡＣ）（１０）をさらに含み、
前記紫外線光源（３０）は、前記フレーム骨格（１２）の空胴内に設置され、前記ファン（４４）を取付けた前記ベース板（２２）は、前記フレーム骨格（１２）の頂部に設置され、前記濾過カバー（２４）の内層は、ドーピングされたナノ二酸化チタンにより処理され、前記フレーム骨格（１２）を被覆し、前記濾過カバー（２４）の表面において、光触媒効果により空気汚染物を捕獲し、分解することを特徴とする請求項１に記載の保健および最適の照明装置。
【請求項１１】
前記光源（２６）は、異なる色および明るさの光を放射できる異なる電気光源を含むことを特徴とする請求項１〜１０のいずれか一項に記載の保健および最適の照明装置。
【発明の詳細な説明】
【技術分野】
【０００１】
本発明は、照明装置に関し、特にエネルギー利用の最善を図った空気浄化可能な保健および最適の照明装置に関する。
【背景技術】
【０００２】
１８９７年、トーマス・エジソンにより最初の白熱電球が発明されて以来、電灯は、主に照明および装飾の用途に使われ、電灯のその他の潜在的能力については、未だ十分に利用されていなかった。
【０００３】
白熱灯の場合、そのエネルギーの変換効率は低く、電気エネルギーの４〜６％を照明エネルギーに変換している。省エネルギー蛍光灯の場合、エネルギーの変換効率は比較的高く、およそ電気エネルギーの２０％を可視光線に変換し、残りの電気エネルギーを不可視および利用されていない赤外線および紫外線に変換している。
【０００４】
現在、既にさまざまな空気浄化器、ファン、および空気浄化機能を備えた電球が市販されている。
【０００５】
光触媒材料により処理された織物の濾過器を使用し、合わせて紫外線および封止ケース内に設置されるファンを利用して空気を浄化する既存技術が存在する。たとえば、特許文献１および特許文献２には、独立の空気浄化装置が開示されている。しかし、これらの装置は、照明機能の備えた織物の照明器具を備えていない。
【０００６】
さらに、空気浄化機能を蛍光電球に取り入れることが勘案された既存技術も存在し、ガラスの電球上に光触媒材料を塗布している。しかし、部分的にクローズされた織物の照明カバーを濾過器として使用し、空気中の汚染物を捕獲していない。また、空気を流通させる機能（以下、「空気流通機能」と称する）も有していない。たとえば、特許文献３には、希土類燐光物質が塗布された照明から放射される波長が２８０〜４００ｎｍの紫外光を使用して、皮膚内の７−脱酸麦角コレステロールをｖｉｔａｍｉｎＤ［３］またはＤ［２］に変換できることが記載されている。
【０００７】
その他の既存技術として、たとえば、特許文献４には、電離作用、および生化学放射線や紫外線を利用して空気を浄化し、ユーザの健康を回復、促進できることが記載されている。
【先行技術文献】
【特許文献】
【０００８】
【特許文献１】米国特許第５３３０７２２号明細書
【特許文献２】米国特許第６６６６９１２号明細書
【特許文献３】中国特許第２８６４９７５号明細書
【特許文献４】特表９２９４８１７号公報
【発明の概要】
【発明が解決しようとする課題】
【０００９】
本発明は、保健および最適の照明装置を提供することを目的とする。本発明者は、革新的に、眩しくない照明機能、空気流通機能、空気により伝播されるウィルス・細菌・その他の微生物、および異臭・揮発性有機化合物（ＶＯＣ）とその他の空気により伝播される汚染物を除去する機能、この三つの基本機能を一つの照明装置内に取り入れ統合させた。このような照明装置は、大気圧および環境温度の下で動作できる一つの有益・独立・革新的な多機能の保健および最適の照明装置である。このような発明装置は、任意の光源の全周波数範囲にわたる電磁波を有効に使用して、その周辺にいるユーザの肉体的・精神的健康および社会福祉を促進できる。このような発明装置は、新規かつ独特である。
【課題を解決するための手段】
【００１０】
本発明に係る保健および最適の照明装置は、少なくとも一つのフレーム骨格、少なくとも一つの光源および少なくとも一層の濾過カバーを含む。
【００１１】
前記光源は、前記フレーム骨格の空胴内に設置され、照明に使われる可視光線、室内空気の品質向上に使われる不可視の赤外線および紫外線を放射する。
【００１２】
前記濾過カバーは、空気浄化機能を有する物質により処理され、前記フレーム骨格を被覆する。前記処理された濾過カバーは、少なくとも一つの開口を有する。
【００１３】
前記赤外線により加熱された前記フレーム骨格内の空気が前記開口を通じて前記装置から流出する。前記装置の周辺環境の更なる低温の空気が前記処理された濾過カバーを通って前記フレーム骨格の空胴内に吸い込まれて既に前記装置から流出された前記加熱された空気を置換して、対流の方式により空気の循環を形成して空気を浄化する。
【００１４】
本発明に係る実施形態において、前記濾過カバーは、抗菌剤が塗布された層、酸化亜鉛、酸化銅または水酸化カルシウムにより処理された層、活性炭または沸石が塗布された層、ドーピングされたナノ二酸化チタンが塗布された層、または前記複数の層の任意の組合せを有し、前記濾過カバーの表面において、空気汚染物を捕獲し、除去する。
【００１５】
本発明に係る実施形態において、前記装置は、前記フレーム骨格の頂部に設置されるシャーシをさらに含み、前記光源は、前記シャーシに設置されている。
【００１６】
本発明に係る実施形態において、前記装置は、前記シャーシに設置され、前記装置の外側の室内空気の品質を向上するイオン発生器をさらに含む。
【００１７】
本発明に係る実施形態において、前記装置は、抗菌および芳香性のある精油を含み、前記フレーム骨格の空胴内に設置され、前記装置の外側の室内空気を消毒して綺麗にする少なくとも一つの容器をさらに含む。
【００１８】
本発明に係る実施形態において、前記装置は、二つの前記フレーム骨格の間に設置され、機能追加や多機能を実現するように前記装置を互いに接続、拡張および柔軟にするベース板をさらに含む。
【００１９】
本発明に係る実施形態において、前記装置は、前記ベース板に設置され、空気の循環および空気の濾過を向上する少なくとも一つのファンをさらに含む。
【００２０】
本発明に係る実施形態において、前記装置は、前記ベース板に設置され、ユーザの健康に役立つように音楽、歌唱、ダンス、運動、沈思、閲読、ストレス緩和、リラックス、休息および睡眠に使われるソフトウェアがインストールできる音響システムをさらに含む。
【００２１】
本発明に係る実施形態において、前記装置は、前記フレーム骨格の頂部に設置される安全網をさらに含む。
【００２２】
本発明に係る実施形態において、互いに積み重ねて接続することで拡張性を有するとともにスペース、カーボンフットプリントおよびコストが減らせるように、前記フレーム骨格は、錐形または半対称の形状を有する。
【００２３】
本発明に係る実施形態において、前記装置は、紫外線光源、ベース板、ファンおよび二層以上に処理された濾過カバーを備える光触媒空気浄化器（ＰＡＣ）をさらに含む。前記紫外線光源は、前記フレーム骨格の空胴内に設置され、前記ファンを取付けた前記ベース板は、前記フレーム骨格の頂部に設置される。前記濾過カバーの内層は、ドーピングされたナノ二酸化チタンにより処理され、前記フレーム骨格を被覆する。前記濾過カバーの表面において、光触媒効果により空気汚染物を捕獲し、分解する。
【００２４】
本発明に係る実施形態において、前記光源は、異なる色および明るさの光を放射できる異なる電気光源を含む。
【発明の効果】
【００２５】
上述したように、本発明装置は、モジュール化または非モジュール化の組立方式を採用できるため、さまざまな形状、大きさ、図案、色彩、材料を有する標準フレーム骨格を一つに結合させて、大量の配置物を備えた大型照明器具を形成できる。このような方法により、本発明装置は、接続性、拡張性および柔軟性を有する。したがって、異なる部屋の大きさに応じて異なる配置となるように設計・製造でき、小さい寝室からホテルのロビー、ショッピングセンタやその他の大型施設の室内にまで適用できる。このような方法では、標準サイズおよび汎用の部品を使うため、標準フレーム骨格の在庫を大幅に減らすことができる。
【００２６】
さらに、それぞれの標準フレーム骨格が略錐形／傾斜または半対称の形状を有するため、互いに積み重ねることができる。したがって、できる限り保存および運送過程中において必要となるスペース／体積を減らすことができ、包装および交付の費用を削減できる。同時に、カーボンフットプリントおよび必要な資源も減らせる。
【００２７】
また、本発明装置におけるさまざまな処理された織物の濾過カバーは、空気の浄化に使われるだけでなく、装飾ともフィットできる。なお、濾過カバーの材料、図案および色彩を祝日の場合や人の気分によって変更でき、内部装飾の流行によっても変更できる。したがって、ファッション性においても時代に遅れることはない。
【００２８】
好ましくは、本発明装置において、次のような組合せの特徴を使用する。信憑性の高い空気浄化技術を採用した装置、抗微生物機能およびその他の空気浄化機能を有する処理された濾過カバーを選択する。このような選択は、室内空気の品質に応じて、ユーザが予め上述の組合せの特徴を有するようにプリセットできる。したがって、照明の色と明るさの制御、音楽およびその他の視聴療法により環境を改善し、および抗菌芳香療法特性を有する精油によりユーザの健康状況の必要を満たしてあげるとともに、ユーザの精神的健康と社会福祉も向上する。視聴設備は、リラックス、休息および睡眠に役立つ音や視覚環境を作り出せるだけでなく、さまざまなハードウェアおよびソフトウェアを使用することにより身体の動作および社会とのインタラクティブ（たとえばダンス、歌唱、運動等）を刺激し促進する。したがって、さまざまな健康問題を解決でき、医療保健方案を提供できる。
【００２９】
これらの機能および技術を革新的に融合して、持続的に維持可能な健康な室内生活を作ることは、柔軟に多機能を付加するオープンシステム体系であり、対流の方式、および/または、機械方式により動力を提供し、空気を持続的に流動させる過程である。これにより、室内空気の品質が向上し、快適な視覚環境を作るために最適化されたエネルギーを提供する。このようなシステムは、ＳＣ技術または略称してＳＣ  Ｔｅｃと称する。
【図面の簡単な説明】
【００３０】
【図１】第一実施形態に係るペンダント式照明としての保健および最適の照明装置の構成を示す正面図である。
【図１Ａ】安全網を有するフレーム骨格の平面図である。
【図１Ｂ】フレーム骨格の正面図である。
【図１Ｃ】一つの光源と二つの精油容器を備えたシャーシの平面図である。
【図２】第二実施形態に係るスタンド式照明としての保健および最適の照明装置の構成を示す正面図である。
【図２Ａ】三つの光源および二つの精油容器を備えたシャーシの平面図である。
【図２Ｂ】ベース板の平面図である。
【図２Ｃ】光触媒空気浄化器（ＰＡＣ）の正面図である。
【図３Ａ】第三実施形態に係るＬＥＤ光源および処理された装飾性のある織物の濾過カバーを付加したペンダント式照明の構成の一部を示す図である。
【図３Ｂ】第三実施形態に係るＬＥＤ光源および処理された装飾性のある織物の濾過カバーを付加したペンダント式照明の構成の一部を示す図である。
【図４Ａ】高利益で高効率のモジュール化複数フレーム骨格のスタンド型照明器具により大型室内用の縦式の本発明装置を構成する一例を示す図である。
【図４Ｂ】高利益で高効率のモジュール化複数フレーム骨格のスタンド型照明器具により大型室内用の縦式の本発明装置を構成する一例を示す図である。
【図５Ａ】二つの異なる実施形態に係るフレーム骨格の一つの変形を示す図である。
【図５Ｂ】二つの異なる実施形態に係るフレーム骨格の他の一つの変形を示す図である。
【発明を実施するための形態】
【００３１】
本発明の目的、技術的思想および効果をさらに分かりやすくするため、以下、図面を参照しながら、本発明の実施形態について、詳細に説明する。
【００３２】
＜実施形態一＞
図１は、本発明の第一実施形態に係るペンダント式照明としての保健および最適の照明装置の構成を示す正面図である。図１Ａは、安全網を有するフレーム骨格の平面図である。図１Ｂは、フレーム骨格の正面図である。図１Ｃは、一つの光源と二つの精油容器を備えたシャーシの平面図である。以下、図１〜１Ｃを参照しながら説明する。
【００３３】
保健および最適の照明装置は、少なくとも一つのフレーム骨格１２、少なくとも一つの光源２６および少なくとも一層の濾過カバー２４を含む。
【００３４】
光源２６は、フレーム骨格１２の空胴内に設置され、照明に使われる可視光線、室内空気の品質向上に使われる不可視の赤外線および紫外線を放射する。
【００３５】
濾過カバー２４は、空気浄化機能を有する物質により処理され、フレーム骨格１２を被覆する。処理された濾過カバー２４は、少なくとも一つの開口を有する。
【００３６】
赤外線により加熱されたフレーム骨格１２内の空気が上記開口を通じて当該装置から流出し、当該装置の周辺環境の更なる低温の空気が処理された濾過カバー２４を通ってフレーム骨格１２の空胴内に吸い込まれて既に当該装置から流出された加熱された空気を置換して、対流の方式により空気の循環を形成して空気を浄化する。
【００３７】
本実施形態において、フレーム骨格１２の断面形状は、円形である。しかし、本発明はこれに限らず、その他の実施形態において、フレーム骨格１２の断面は、楕円形、方形、矩形、三角形、五角形、八角形、Ｄ形またはその他の形状であってもよい。さらに、フレーム骨格１２は、円柱体、円錐体、立方体、半球、球体、楕円形、カップ状、鳥かご状または任意のその他の形状であり得る。本発明は、フレーム骨格１２の形状、サイズおよび材料について制限しない。言い換えれば、フレーム骨格１２は、さまざまな形状、サイズおよび材料を有することができる。
【００３８】
本実施形態において、フレーム骨格１２の上部分の横断面積は、フレーム骨格１２の下部分の横断面積より小さい。しかし、本発明はこれに限らず、その他の実施形態において、フレーム骨格１２の上部分の横断面積は、フレーム骨格１２の下部分の横断面積と同じかより大きいこともできる。
【００３９】
本実施形態において、フレーム骨格１２は、標準で、接続可能で、拡張可能であってよい。したがって、複数のフレーム骨格１２を互いに組合せて接続でき、さまざまな配置、形状および大きさを有する拡張可能な装置を形成して、より多い機能、より高い効果を得ることができる。
【００４０】
本実施形態において、フレーム骨格１２は、錐形または半対称である形状を有することができる。したがって、フレーム骨格１２を互いに積み重ねて接続でき、拡張性を持たせるとともにスペース、カーボンフットプリントおよびコストを減らせる。
【００４１】
本実施形態において、濾過カバー２４は、抗菌剤が塗布された層、酸化亜鉛、酸化銅または水酸化カルシウムにより処理された層、活性炭または沸石が塗布された層、ドーピングされたナノ二酸化チタンが塗布された層、または上述した四つの層の任意の組合せを有することができる。これらの層により、濾過カバー２４の表面において、空気汚染物を捕獲し、除去する。濾過カバー２４は、見た目を良くし、光の眩しさを防止する照明カバーとして使われるだけでなく、空気により伝播される汚染物を捕獲、収容する濾過器としても使われる。また、濾過カバー２４は、さまざまな空気浄化用化学製品／物質を収容するベースおよび防護カバーとして使われる。
【００４２】
より詳細には、多層の濾過カバー２４によりフレーム骨格１２の周囲を被覆する。室内空気の品質およびユーザの健康要求に応じて、多層の濾過カバー２４を変更できる。多層には、以下の層を含むことができる。
【００４３】
抗菌剤により処理された層と含むことができる。これにより、穿刺および感電で物理的に微生物を捕獲、死滅させる。
【００４４】
ＺｎＯ、ＣｕＯまたはＣａ（ＯＨ）２などの殺菌剤により処理された層を含むことができる。これにより、細菌を捕獲、死滅させ、ＣＯ２、ＮＯＸ、ＳＯＸ、ＨＣＬなどの酸性気体を中和できる。
【００４５】
活性炭を吸着剤として処理された層を含むことができる。これにより、異臭およびオゾンを除去する。
【００４６】
ドーピングされたナノ二酸化チタンが塗布された層を含むことができる。これにより、紫外線によって放射され、酸化還元反応によって捕獲した揮発性有機化合物（ＶＯＣ）、異臭、微生物、胞子、フケおよびその他の有害な空気汚染物を無害の分子、たとえばＨ２Ｏ、ＣＯ２および無機塩に分解、解毒する。
【００４７】
濾過カバー２４に、文字および図形を印刷して、広告、通知、符号、激励および知恵のある言葉を表示し、精神的に人を励ます情報として使うことができる。
【００４８】
本発明において、水で濾過カバー２４を洗浄することにより未分解の物質を処理し、さらに、当該濾過カバーを乾燥させて再利用できる。実用時は、通常、およそ一カ月に一回の頻度で濾過カバー２４の一番外側の層を洗浄してよい。環境に応じては、通常、三カ月に一回の頻度で濾過カバー２４の内層を洗浄してよい。これにより、濾過カバー２４は、濾過及び消毒の機能を維持できる。
【００４９】
本実施形態において、光源２６は、異なる色および明るさの光を放射できる異なる電気光源を含む。本発明装置は、異なる形状、大きさ、色彩、材料および配置を有するフロア照明、スタンド照明、壁照明、ペンダント式照明または天井照明であってよい。標準の製品として、これらの照明器具は、さまざまな空気洗浄技術を含む。また、柔軟に付加する方式により特定の要求に合わせてオーダメイドできる。これにより、本発明の目的である健康維持、異なるユーザの肉体、精神および社会福祉の促進を達成する。本発明の目的は、世界保健機関における健康に対する定義と一致する。
【００５０】
本実施形態において、本発明装置は、フレーム骨格１２の頂部に設置されるシャーシ２０をさらに含む。光源２６は、シャーシ２０に設置されている。シャーシ２０に設置することにより、異なる機能を有する異なる部品を当該装置と接続させることができる。
【００５１】
本実施形態において、本発明装置は、シャーシ２０に設置され、装置の外側の室内空気の品質を向上するイオン発生器４６をさらに含む。本実施形態において、イオン発生器４６は、プラズマイオン発生器であってよく、幾つかのマイナスイオンおよびプラスイオン放射器を有し、それぞれの放射器は、数百万個／ｍ３・秒のマイナスイオンおよびプラスイオンを生成する。本発明装置により生成される空気の循環およびブラウン拡散運動により、帯電粒子またはプラズマイオンのスプレーは、環境中に拡散され、当該装置の外側の空気を浄化できる。しかし、本発明はこれに限らず、その他の実施形態において、イオン発生器４６は、シャーシ２０に固定された少なくとも一つのマイナスイオン放射器を有するマイナスイオン発生器であってもよい。
【００５２】
本実施形態において、本発明装置は、抗菌および芳香性のある精油を含み、フレーム骨格１２の空胴内に設置され、本発明装置の外側の室内空気を消毒し、綺麗にする少なくとも一つの容器４２をさらに含む。実用時は、容器４２には、香料または異なるタイプの精油の混合物を含むことができる。赤外線が熱エネルギーを生成するため、当該熱エネルギーにより精油を蒸発させる。したがって、精油は、環境中に拡散でき、空気の消毒に使われ、人の気持ちを良くさせる。精油の香りは、まるで花畑や公園の綺麗な空気のようである。しかし、本発明はこれに限らない。
【００５３】
本実施形態において、本発明装置は、フレーム骨格１２の頂部に設置される安全網２８をさらに含むことができる。したがって、当該装置内に進入することを制限することにより、本発明装置の安全性を向上させる。本実施形態において、安全網２８は、フレーム骨格１２の頂部の開口に接続される。
【００５４】
＜実施形態二＞
図２は、本発明の第二実施形態に係るスタンド式照明としての保健および最適の照明装置の構成を示す正面図である。図２Ａは、三つの光源および二つの精油容器を備えたシャーシの平面図である。図２Ｂは、ベース板の平面図である。図２Ｃは、光触媒空気浄化器（ＰＡＣ）の正面図である。以下、図２〜２Ｃを参照しながら説明する。
【００５５】
本実施形態において、本発明装置は、二つのフレーム骨格１２の間に設置され、機能追加や多機能を実現するように前記装置を互いに接続、拡張および柔軟にするベース板２２をさらに含む。
【００５６】
本実施形態において、本発明装置は、ベース板２２に設置され、機械方式により空気の循環および空気の濾過を向上する少なくとも一つのファン４４をさらに含む。したがって、空気濾過の効率を極端に向上できる。ファン４４がない場合、当該装置内部および外部の空気は、単に赤外線により生成される対流方式で流通する。少なくとも一つのファン４４は、本発明装置の頂部、中央部または底部に位置することができる。精油が使用され、シャーシ２０が本発明装置の頂部に位置される場合、ファン４４を当該装置の中央部に設置することが好ましい。光源２６により生成される熱エネルギーは精油を蒸発できるので、本発明装置の中央部に位置するファン４４により対流の上昇を向上させるためである。したがって、精油は本発明装置から上昇して外側に流出する。当該装置内の熱エネルギーを逃がせると、電球の寿命も延びる。
【００５７】
本実施形態において、本発明装置は、ベース板２２に設置され、ユーザの健康に役立つように音楽、歌唱、ダンス、運動、沈思、閲読、ストレス緩和、リラックス、休息および睡眠に使われるソフトウェアをインストールできる音響システム５２をさらに含む。
【００５８】
本実施形態において、ユーザの要求に応じて、ベース板２２には、静電ユニット、プログラマブルコントローラ５０、ファン４４、音響システム５２およびその他の装置の取付けに使われる幾つかのスロット４０を有する。
【００５９】
本発明装置の標準化およびモジュール化特性により、ベース板２２にいずれの装置も取り付けず、開口のみを有して、空気を流通させてもよい。同様に、シャーシ２０にも一つまたは複数の精油容器４２、一つまたは二つの光源２６、一つまたは二つのイオン発生器４６を取付けなくてよい。
【００６０】
したがって、本発明装置の柔軟な付加やモジュール化の方法により、ユーザは次のようなことが選択できる。ベース板２２およびシャーシ２０に取付ける部品のタイプを選択できる。光源２６のタイプ、性質および数量を選択できる。照明カバーとして使われる処理された濾過カバー２４のタイプおよび数量を選択できる。使用する精油のタイプを選択できる。濾過カバー２４に塗布する化学製剤のタイプを選択できる。使用する濾過カバー２４の空気濾過率を選択できる。なお、上述の全ては、ユーザの健康要求および室内環境状態に応じて、予め選択または変更できる。
【００６１】
本実施形態において、本発明装置は、紫外線光源３０、ベース板２２、ファン４４および二層以上に処理された濾過カバー４４を備えるＰＡＣ１０をさらに含む。紫外線光源３０は、フレーム骨格１２の空胴内に設置され、ファン４４を取付けたベース板２２は、フレーム骨格１２の頂部に設置される。濾過カバー２４の内層は、ドーピングされたナノ二酸化チタンにより処理され、フレーム骨格１２を被覆する。濾過カバー２４の表面において、光触媒効果により空気汚染物を捕獲し、分解する。
【００６２】
本実施形態において、シャーシ２０は、光源２６に提供される三つのコンセント、および精油を収容する容器４２に提供される二つのコンセントを有する。しかし、本発明はこれに限らない。
【００６３】
それぞれの照明カバーは、異なる機能を有するように、異なる層を備えた濾過カバー２４を配置できる。それぞれのフレーム骨格１２において、一層または多層の濾過カバー２４を使うことにより、強烈に眩しい光が発散され、視覚的快適の穏やかな照明を提供できる。二層以上の濾過カバー２４は、濾過効率を増大する。機械的に濾過する（選別）だけでなく、濾過カバー２４は、さらに慣性の衝撃および拡散（ブラウン運動）により、微生物を含む精細および超精細の粒子を捕獲できる。
【００６４】
空気は、抗微生物を遮蔽できる濾過カバー２４層を通って吸い込まれる。さまざまな生物的（生きている生物体および死んだ生物体）、化学的（有機および無機物質）の空気汚染物、たとえば、異なるもとから由来した大きさ（粗い＞２．５μｍ、精細＞２．５〜０．１μｍ、超精細＜０．１μｍ）の異なる微粒子（ＰＭ）、揮発性有機化合物質（ＶＯＣ）、異臭および有毒ガスは、室内空気の流れに沿って処理された層を通る際に、捕獲または閉じ込められる。本発明装置の吹き出し口にマイナスイオンおよびプラズマイオン発生器を接続することにより、数百万個／ｍ３・秒の帯電粒子を発生する。さらに、シャワーのように帯電粒子を周囲の空気汚染物を含む室内空気中に噴射して、濾過カバー２４および照明器具の外側の空気を浄化する。本発明装置により生成される空気流通およびランダムなブラウン拡散は広がられ、高度に不安定な活性プラスマイナスイオンおよび空気汚染物（特に、精細な粒子、超精細な粒子およびＶＯＣ）を混合する。その結果、これらの汚染物は、電荷を帯び、異性間で引き合い、相互作用してより大きくて重い粒子や粒子群を形成する。このようにかき集めた空気汚染物群は、大きすぎて重くなってしまい、浮遊を保持できなくなる。さらに、大量に強く相互作用するマイナスイオンおよびプラスイオンの繰り返した連続の衝突により、細菌を損傷して死滅させる。最終的には、重力作用によりこれらの空気汚染物群は、空気中から沈下する。本発明装置により動力が提供される緩やかに循環する空気流は、一部下降中の粒子を吸い込み、照明器具の濾過カバーにおいて、濾過することによりこれらの空気汚染物群を捕獲し、光触媒作用によりこれらの空気汚染物群を分解する。
【００６５】
したがって、当該装置の外側および当該装置の処理された濾過カバー２４において、革新的にさまざまな空気浄化技術を総合応用し、繰り返しかつ連続的に解毒／浄化することにより、室内空気の品質（ＩＡＱ）を向上する。
【００６６】
室内、家庭内、オフィス内、学校およびその他の施設内において本発明装置を使用するため、本発明装置は、１、２時間内で、ウィルス、細菌、真菌、胞子、花粉、異臭およびその他の汚染物の量を、有毒レベルから無毒レベルまで低減できる。その後は、さらに残された微量の空気汚染物を除去する必要がなく、費用対効果も合わない。本実施形態において、プログラマブルコントローラ５０は、異なるタイマ設定ができ、イオン発生器４６およびファン４４を操作制御できる。したがって、それぞれの設定された時間帯を過ぎると、イオン発生器４６およびファン４４の動作を停止できる。その他の実施形態として、手動スイッチまたはセンサにより当該機能を実行させてもよい。
【００６７】
以上のような本発明装置の基本実施形態に基づいて、ナノ二酸化チタンの光触媒により処理された濾過カバー２４でフレーム骨格１２を被覆し、当該装置の頂部にファン４４を設置し、イオン発生器４６および精油４２を設置せずに、ある独立の測定実験室が、床面積が約９ｍ２、部屋体積が約２５ｍ３の閉鎖的なオフィスに対して二回の測定を行った。測定中、最初の５分間の測定期間において、通常の空気により細菌および真菌培養基を伝播して、細菌および真菌を引き入れた。同様に、同一の部屋内で他の測定として、最初の５分間の測定期間において、マルボロ（登録商標）型タバコに火をつけることによりニコチンを引き入れた。
【００６８】
表１−１、表１−２は、一回目測定の記録結果である。
【００６９】
【表１−１】
0005552570.tif 000002
【００７０】
【表１−２】
0005552570.tif 000003
表２−１、表２−２は二回目測定の記録結果である。
【００７１】
【表２−１】
0005552570.tif 000004
【００７２】
【表２−２】
0005552570.tif 000005
４時間後の測定結果で示すように、四時間内において、たったナノ二酸化チタンが塗布された濾過カバーを使用した本発明装置の基本実施形態だけで、限定された空間内で運転する本発明装置は細菌、真菌、異臭および汚染物の量を大幅に低減できる。
【００７３】
＜実施形態三＞
図３Ａ、図３Ｂは、本発明の第三実施形態に係るＬＥＤ光源および処理された装飾性のある織物の濾過カバーを付加したペンダント式照明の構成を示す図である。本実施形態に係る照明装置は、上部フレーム骨格１２および下部フレーム骨格１２、二つの光源２６および照明カバーとして上部フレーム骨格１２を被覆する濾過カバー２４を含む。照明カバーは半球の形状を有し、照明ベースは円錐の形状を有する。光源２６は、二つの蛍光照明およびＬＥＤ板４８を有する。
【００７４】
図４Ａ、図４Ｂは、高利益で高効率のモジュール化複数フレーム骨格のスタンド型照明器具により大型室内用の縦式の本発明装置を構成する一例を示す図である。
【００７５】
図５Ａ、図５Ｂは、本発明の二つの異なる実施形態に係るフレーム骨格の二つの変形を示す図である。
【００７６】
濾過カバー２４を照明カバーの‘‘セーター’’として使うため、フレーム骨格１２の周囲を巻回できる。さらに濾過カバー２４の層を追加する場合、ユーザは、さらに追加する層を、既にフレーム骨格１２の周囲を巻回している内層の上に巻回する必要がある。したがって、濾過カバー２４は、ユーザの健康問題を満たすように、ユーザにより選択できる。
【００７７】
リラックス、さらにストレスを解消するために、ユーザは、芳香療法用精油を選択し、合わせて柔らかい色の異なる光および音響システム５２の音楽を選択できる。音響システム５２は、本発明装置内に取り付けた歌唱用のマイクを含む。
【００７８】
上述したのは、本発明装置により健康を促進できることを示すために、柔軟に付加し組合せた一部の実施形態である。本発明は、ユーザが異なる大きさの空間内において本発明装置を使用でき、アパートまたはホテルロビー内の非常に大型な本発明装置から、小さい寝室内の照明器具にまで使用できる。大きい空間内で本発明装置を使用する場合、本発明装置にさらに多くの、フレーム骨格１２、濾過カバー２４、光源２６、ファン４４、イオン発生器４６およびその他のユニットを含むことができる。したがって、本発明装置は、さらに大きな空間内で有効に動作できる。
【００７９】
部分的にクローズされた照明カバー内に進入することを制限するように、濾過カバー２４およびフレーム骨格１２を使用することは、本発明装置の安全性を向上できる。意外な事故が発生する際、被覆の照明カバーは、電球割れの防止に役立つ。電球が照明カバー内で割れた場合、濾過カバー２４は有害な割れ電球を収容でき、特に、子供を帯電電流、有毒物質（たとえば、水銀）を含んだ鋭いガラス破片の傷害から保護する。必要があれば、本発明装置の頂部において、安全網２８を使用することにより、更なる保護を提供できる。ＰＡＣ１０の周囲を巻回する濾過カバー２４は、子供の手が不意に空気浄化照明内に入ることも防止できる。
【００８０】
濾過カバー２４は、処理された後でも、濾過カバー２４の第一および最も外側の層を広告ポスターとして使用できる。本発明装置は、照明カバーを有することができる。照明カバーは、処理されることができるだけでなく、広告、通知または激励の情報を印刷できる。したがって、本発明装置は、広告、学習および表示用の保健照明ボックスとして使用できる。
【００８１】
本発明装置は、任意の電気光源から放射される可視光線、赤外線および紫外線の全周波数領域にわたる光スペクトルを利用する。このような装置は、内部空間を照明できるだけでなく、同時に空気により伝播される汚染物および微生物を除去することにより、室内空気の品質を向上する。空気汚染物および熱エネルギーを除去することにより、電球は、さらに綺麗で、明るくて、涼しくて、長寿命を有する。
【００８２】
これらの機能および技術を革新的に融合して、持続的に維持可能な健康の室内生活を作ることは、柔軟に多機能を付加するオープンシステム体系であり、対流の方式、および/または、機械方式により動力が提供され、空気を持続的に流動させる過程である。これにより、室内空気の品質が向上し、快適な視覚環境を作るために最適化されたエネルギーを提供する。当該システムは、ＳＣ技術または略称してＳＣ  Ｔｅｃと称する。
【００８３】
以上、本発明の好適な実施形態を説明したが、これらは本発明の説明のための例示であり、本発明の範囲をこれらの実施形態にのみ限定する趣旨ではない。当業者ならば、本発明の要旨を逸脱しない範囲で、上記実施形態とは異なる種々の態様で実施することができる。本願発明の特許請求の範囲は、上述の好適な実施形態に限定されない。
【符号の説明】
【００８４】
１０  ＰＡＣ、
１２  フレーム骨格、
２０  シャーシ、
２２  ベース板、
２４  濾過カバー、
２６  光源、
２８  安全網、
３０  紫外光源、
４０  スロット、
４２  容器、
４４  ファン、
４６  イオン発生器、
４８  ＬＥＤ板、
５０  プログラマブルコントローラ、
５２  音響システム。
【図１】
0005552570.tif 000006
【図１Ａ】
0005552570.tif 000007
【図１Ｂ】
0005552570.tif 000008
【図１Ｃ】
0005552570.tif 000009
【図２】
0005552570.tif 000010
【図２Ａ】
0005552570.tif 000011
【図２Ｂ】
0005552570.tif 000012
【図２Ｃ】
0005552570.tif 000013
【図３Ａ】
0005552570.tif 000014
【図３Ｂ】
0005552570.tif 000015
【図４Ａ】
0005552570.tif 000016
【図４Ｂ】
0005552570.tif 000017
【図５Ａ】
0005552570.tif 000018
【図５Ｂ】
0005552570.tif 000019